(57)【要約】【課題】本発明は、使用始めに際してロールペーパーが一定量送り出されると共に、上方から押圧することによってロールペーパーの切断時の横ズレ現象を防止し、さらに上下何れの方向にも引き出して切断することができるロールペーパーホルダーの提供を図る。【解決手段】上蓋カバーと、ペーパー送り装置と、受台回動アームと、ホルダー基台と、で構成されるロールペーパーホルダーであって、前記ペーパー送り装置と、前記受台回動アームを前記上蓋カバーに回動可能に枢着し、該受台回動アームを前記ホルダー基台の当接突起に当接させることによって、使用始めに際してロールペーパーが一定量送り出されると共に、上方から押圧することによってロールペーパーの切断時の横ズレ現象を防止し、さらに上下何れの方向にも引き出して切断することができる構成を採用した。【選択図】図１
2011139931.tif 000002
【特許請求の範囲】
【請求項１】
上蓋カバーと、ペーパー送り装置と、受台回動アームと、ホルダー基台と、で構成されるロールペーパーホルダーであって、
前記上蓋カバーは、ロールペーパーの上部を覆う形状を有して前記ホルダー基台に回動可能に枢着して成り、
前記ペーパー送り装置は、
上切刃と、ペーパー送り操作片と、
をローラー部の円周上にロールペーパーの送り方向と直交して設けると共に、
前記上蓋カバーの先端部に回動可能に枢着して成り、
前記受台回動アームは、
受台の先端部には、下切刃を設けると共に、
前記ペーパー送り装置のローラー部が直下して接する受台の上面位置には、制止突起をロールペーパーの送り方向と直交して設け、
該受台にロールペーパーの幅を回避して後方に延設される回動アームは、前記上蓋カバーの基部に回動可能に設けて成り、
前記ホルダー基台は、
ロールペーパーを回動自在に保持する保持アームを形成し、
該保持アームの基部には、前記上蓋カバーを回動可能に設けると共に、
先端部付近両内側には、前記受台回動アームを水平位置に係止する当接突起を設けたことを特徴とするロールペーパーホルダー。
【発明の詳細な説明】
【技術分野】
【０００１】
本発明は、使用始めに際してロールペーパーが一定量送り出されると共に、上方から押圧することによってロールペーパーの切断時の横ズレ現象を防止し、さらに上下何れの方向にも引き出して切断することができるロールペーパーホルダーに関する。
【背景技術】
【０００２】
従来のロールペーパーホルダーにおけるロールペーパーの切断方法は、ホルダー内に切断刃を設け、該切断刃に沿ってロールペーパーを引き上げるか、又は引き降ろすかの何れかの方法でロールペーパーを切断する方法が採られている。
【０００３】
例えば、ロールペーパーを引き上げて切断する方法としては、ロールペーパーを片手で確実に切断できると同時に、ロールペーパー切断端に摘持部を確保して紙の引き出しを容易にできるようにした固定型または卓上型の「ロールペーパーホルダー」（特許文献１）が提案され、公知技術となっている。
【０００４】
しかしながら、上記の「ロールペーパーホルダー」は、ロールペーパーホルダーの構造自体が複雑な構造である上、ペーパーの滑り出しを制限する機構が可動圧接用バネによる押圧力による単独手段だけではロールペーパーの回動を完全に阻止することができないものであり、また蓋体に設けられる切断刃が比較的鋭利なノコギリ状の刃で形成されることから、通常の使用時ならびに交換時の取り扱い上の安全性に問題があるものだった。
【０００５】
また、ロールペーパーを引き下げて切断する方法としては、ホルダー本体にペーパーカッターと左右両端に切り込みを施した台座を一体化し、常時ペーパーの先端を定位置に保持し、左右を問わず片手で任意の量を引き出して自然な動作でトイレットペーパーを切断する「カッター台座付きトイレットペーパーホルダー」（特許文献２）が提案され、公知技術となっている。
【０００６】
しかしながら、上記の「カッター台座付きトイレットペーパーホルダー」は、台座上にカッターが常に上向きに露出する構造であるため取り扱い上の安全性に問題があると共に、トイレットペーパーをペーパーカバーの狭小な切り込み部に指を入れて引き出さなければならず、手先の器用さに欠ける老人や子供においては使用しづらいものであった。
【０００７】
また、ロールペーパー用のホルダーに引き出し部を設けて紙が容易に引き出せるようにした「引き出し部付きロールペーパー用ホルダー」（特許文献３）が提案され、公知技術となっている。
【０００８】
しかしながら上記の「引き出し部付きロールペーパー用ホルダー」は、ロールペーパーの先端部の一部が、常に上蓋カバーから露出しているため衛生上の問題がある共に、引き出し部がロールペーパー上に乗り上げた状態で保持されているため、ロールペーパーの弾力性によって引き出し部の安定が計れないことからロールペーパーの横ズレ現象が発生し、ロールペーパーの切断面を端麗に切断することができないものであった。
【０００９】
従来より上記の問題点を解決しようと、ホルダー本体と、ペーパー受け台と、回動アーム部を回動アーム部の先端部に連結し、ペーパー受け台の磁着面部に磁着される磁石或いは磁性体を下面部に備えてこの下面部を紙が載置された受け台に磁着させることにより挟み込んだ紙を固定できるマグネットバー部材と、バー部材における少なくとも一方向の側端部に枢設され、作用端部が他端の力点端部とバー部材の摘み操作によって拡開するピンチレバー部を含んで構成される「ワンハンドカット可能なペーパーロールホルダー」（特許文献４）が提案され、公知技術となっている。
【００１０】
しかしながら上記の「ワンハンドカット可能なペーパーロールホルダー」は、回動アーム部の先端部に設けられる磁性体と、ピンチレバー部による磁着・挟持構造が複雑である上、回動アーム部がホルダー本体から相当量突出していることで狭いトイレ空間での操作性ならびにコンパクト性に欠ける問題があるものだった。
【００１１】
また、使用始めに際してロールペーパーを一定量送り出す提案としては、例えば、ロールペーパーを回動自在に保持する支持部材と、ロールペーパー上部を覆う板状部材と、該支持部材と板状部材を接続するフレームを有するロールペーパー保持具において、板状部材が、開口部を有し、ロールペーパーに該開口部を介して当接可能に構成され、板状部材に対してロールペーパーの回動可能方向に回動もしくは傾動可能に設けられて当接具を有した「ロールペーパー保持具」（特許文献５）が提案され、公知技術となっている。
【００１２】
しかしながら上記の「ロールペーパー保持具」は、ロールペーパーを切断する手段が板状部材の先端部を利用して切断する場合に限定されるもので、本願発明による上蓋カバーのペーパー送り装置に設けられた上切刃と、ペーパー受け台に設けられた下切刃が咬合する構造においては、上切刃と下切刃が咬合して紙送りが阻止される構造であることから、該提案の当接具を利用した紙送り手段では本願発明によるロールペーパーを送り出すことができない構造であるものだった。
【００１３】
本願発明者は、上記のロールペーパーホルダーにおける問題点を解決するために、ロールペーパーホルダーの上蓋カバーに、ペーパー送り装置と、受台回動アームを回動可能に枢着し、該受台回動アームをホルダー基台の当接突起に当接させることによって、使用始めに際してロールペーパーが一定量送り出されると共に、上方から押圧することによってロールペーパーの切断時の横ズレ現象を防止し、さらに上下何れの方向にも引き出して切断することができるロールペーパーホルダーを開発し、本出願における「ロールペーパーホルダー」の提案に至るものである。
【先行技術文献】
【特許文献】
【００１４】
【特許文献１】特開２００８-３６２０１号公報
【特許文献２】登録実用新案第３０３３７６２号公報
【特許文献３】特開平8-１４０８８７号公報
【特許文献４】特開２００９-２８５１２３号公報
【特許文献５】特開２００７-１０５３２７号公報
【発明の概要】
【発明が解決しようとする課題】
【００１５】
本発明は上記問題点に鑑み、使用始めに際してロールペーパーが一定量送り出されると共に、上方から押圧することによってロールペーパーの切断時の横ズレ現象を防止し、さらに上下何れの方向にも引き出して切断することができるロールペーパーホルダーの提供を図る。
【課題を解決するための手段】
【００１６】
本発明は上記目的を達成するためになされるもので、上蓋カバーと、ペーパー送り装置と、受台回動アームと、ホルダー基台と、で構成されるロールペーパーホルダーであって、前記上蓋カバーは、ロールペーパーの上部を覆う形状を有して前記ホルダー基台に回動可能に枢着して成り、前記ペーパー送り装置は、上切刃と、ペーパー送り操作片と、をローラー部の円周上にロールペーパーの送り方向と直交して設けると共に、前記上蓋カバーの先端部に回動可能に枢着して成り、前記受台回動アームは、受台の先端部には、下切刃を設けると共に、前記ペーパー送り装置のローラー部が直下して接する受台の上面位置には、制止突起をロールペーパーの送り方向と直交して設け、該受台にロールペーパーの幅を回避して後方に延設される回動アームは、前記上蓋カバーの基部に回動可能に設けて成り、前記ホルダー基台は、ロールペーパーを回動自在に保持する保持アームを形成し、該保持アームの基部には、前記上蓋カバーを回動可能に設けると共に、先端部付近両内側には、前記受台回動アームを水平位置に係止する当接突起を設けた構成を採用した。
【発明の効果】
【００１７】
本発明に係るロールペーパーホルダーによれば、ペーパー送り装置のペーパー送り操作片を上方に回動することによって、上切刃と下切刃の咬合が開放され、さらにローラー部と制止突起が押圧されて回動することによってロールペーパーが確実に手前に送り出され、上方から押圧することによってロールペーパーの切断時の横ズレ現象を防止する共に、ロールペーパーの先端部を上切刃と下切刃で押圧して咬合することによってロールペーパーを上下何れの方向にも引き出して切断することができる優れた効果を奏する。
【００１８】
また本発明に係るロールペーパーホルダーによれば、ローラー部と制止突起で構成される押圧機構と、上切刃と下切刃で構成される切断機構でロールペーパーを強固に狭持して切断するため、一重の紙質の粗いロールペーパーや、ミシン目のないロールペーパーであっても使用する長さの任意の位置で確実に切断することができる優れた効果を奏する。
【００１９】
また本発明に係るロールペーパーホルダーによれば、上蓋カバーが使用時を含め常時ロールペーパーの上面を覆っているため、空気中を浮遊するゴミなどがロールペーパーの上面に付着しない優れた衛生的な効果を奏する。
【００２０】
また本発明に係るロールペーパーホルダーによれば、上蓋カバーと、ペーパー送り装置と、受台回動アームと、ホルダー基台とが、樹脂成型部品で構成されるため、製造コストの廉価化が図れると共に、構成部品が単純構造であることよってロールペーパーの使用時や交換作業時においては作業の煩雑さや手間を要しない優れた効果を奏する。
【図面の簡単な説明】
【００２１】
【図１】本発明に係るロールペーパーホルダーの全体構成を示す説明図である。
【図２】本発明に係るロールペーパーホルダーの使用状態を示す断面説明図である。
【図３】本発明に係るロールペーパーホルダーのセット手順を示す説明図である。
【図４】本発明に係るロールペーパーホルダーの使用手順を示す説明図である。
【発明を実施するための形態】
【００２２】
本発明のロールペーパーホルダーは、上蓋カバーと、ペーパー送り装置と、受台回動アームと、ホルダー基台と、で構成されるロールペーパーホルダーであって、前記ペーパー送り装置と、前記受台回動アームを前記上蓋カバーに回動可能に枢着し、該受台回動アームを前記ホルダー基台の当接突起に当接することによって、使用始めに際してロールペーパーが一定量送り出されると共に、上方から押圧することによってロールペーパーの切断時の横ズレ現象を防止し、上下何れの方向にも引き出して切断することができる構成を採用したことを最大の特徴とするものである。以下、本発明を実施するための実施形態を図面を基に説明する。
【００２３】
本発明に係るロールペーパーホルダーにおける寸法を初めとする外観形状ならびに材質は、下記に述べる実施例に特に限定されるものではなく、本発明の技術的思想に逸脱しない範囲で任意に変更することができる。
【００２４】
図１は、本発明に係るロールペーパーホルダーの全体構成を示す説明図である。
図１（a）は全体斜視図を示し、図１（ｂ）は拡散分解図を示す。
本発明のロールペーパーホルダー１は、ホルダー基台１０と、上蓋カバー２０と、ペーパー送り装置３０と、受台回動アーム４０で構成されると共に、使用始めに際してロールペーパーＰが一定量送り出されると共に、上方から押圧することによってロールペーパーＰの切断時の横ズレ現象を防止し、さらに上下何れの方向にも引き出して切断することができる押圧機構Ａと切断機構Ｂを有して構成される。
【００２５】
押圧機構Ａは、ペーパー送り装置３０のローラー部３３と、受台回動アーム４０の制止突起４３で構成され、ペーパー送り装置３０のペーパー送り操作片３１を上方に回動させることによって、ロールペーパーＰの一側端が手前に送り出され、該送り出された一側端を摘んで適宜引き出したロールペーパーＰを、ローラー部３３と、制止突起４３で上方から押圧することによって、ロールペーパーＰが強く狭持され、ロールペーパーＰの切断時の横ズレ現象を防止することができるものである。
【００２６】
切断機構Ｂは、ペーパー送り装置３０の上切刃３２と受台回動アーム４０の下切刃４２で構成され、ペーパー送り装置３０の上方から押圧することによって、上切刃３２と下切刃４２が強く咬合され、ロールペーパーＰを上下何れの方向にも引き出して切断することができるものである。
【００２７】
ホルダー基台１０は、合成樹脂成形部材で形成され、ロールペーパーＰを回動自在に保持する保持アーム１１を形成し、該保持アーム１１の基部には上蓋カバー２０を回動可能に枢着すると共に、先端部付近両内側には受台回動アーム４０を水平位置に係止する当接突起１２を設けて形成される。
【００２８】
当接突起１２は、保持アーム１１の先端部付近両内側に受台回動アーム４０の下部に当接する突起で、受台回動アーム４０が水平位置より下方に回動することを制限し、押圧機構Ａを有効に機能させることを目的として設けられるもので、ロールペーパーＰの回動ならびに送り動作に影響を及ぼすことのない限り、その突出する形状は特に限定されるものではない。
【００２９】
上蓋カバー２０は、ロールペーパーＰの上部を覆う形状を有してホルダー基台１０に回動可能に設け、先端部にはペーパー送り装置３０を設け、基部にはホルダー基台１０の保持アーム１１の基部に受台回動アーム４０の基部と共に回動可能に枢着して形成される。
【００３０】
ペーパー送り装置３０は、合成樹脂成形部材で形成され、上切刃３２とペーパー送り操作片３２をローラー部３３の円周上にロールペーパーＰの送り方向と直交して設けられ、上蓋カバー２０の先端部に回動可能に枢着して形成される。
【００３１】
ペーパー送り操作片３１は、ローラー部３３の円周上の接線状に設けられ、上切刃３２と摘む指の隙間を空けて形成される。上方に回動させることによってローラー部３３が略1/4回動することでロールペーパーＰの一側端が手前に送り出され、該送り出された一側端を摘んでロールペーパーＰを使用する必要量の長さに引き出すことができる。
【００３２】
上切刃３２は、ローラー部３３の円周上に略Ｌ型状に屈曲して設けられ、先端の切刃形状は、板厚を鋭角に成型し、受台回動アーム４０の下切刃４２と咬合される位置に形成される。
【００３３】
ローラー部３３は、上切刃３２とペーパー送り操作片３１を円周上に備え、回動中心軸が上蓋カバー２０の先端部に回動可能に枢着される。円周表面には、ローレットならびに凹凸加工が施され、摩擦抵抗を大きくして回動することによってロールペーパーＰの送り出しを容易にする形状で形成される。
【００３４】
受台回動アーム４０は、合成樹脂成形部材で形成され、受台４１の先端部には、下切刃４２を設けると共に、ペーパー送り装置３０のローラー部３３が直下して接する受台４１の上面位置には、制止突起４３をロールペーパーＰの送り方向と直交して設け、該受台４１にロールペーパーＰの幅を回避して後方に延設される回動アーム４４は、上蓋カバー２０の基部に回動可能に設けられると同時に、ホルダー基台１０の保持アーム１１の基部の先端部付近両内側に設けられる当接突起１２に当接して、水平状態を維持した状態で係止されるものである。
【００３５】
受台４１は、先端部には下切刃４２が設けられ、上面位置には制止突起４３設けられロールペーパーＰが安定して紙送りされる平面平滑形状を形成している。
【００３６】
下切刃４２は、受台４１の先端部に設けられ、先端の切刃形状は板厚を鋭角に成型し、ペーパー送り装置３０の上切刃３２と咬合して形成される。
【００３７】
制止突起４３は、ペーパー送り装置３０のローラー部３３が直下して受台４１の上面位置に設けられ、ローラー部３３によって押圧されることによって切断時にロールペーパーＰの回動ならびに送りを阻止し、ロールペーパーＰの切断時の横ズレ現象を防止する目的で設けられるものである。また送り出しの制止を円滑なものとする別の手段として、受台４１の上面にパイプ形状の従動送りローラーとして設けることもできる。
【００３８】
回動アーム４４は、受台４１にロールペーパーＰの幅を回避して後方に延設され、その基部には上蓋カバー２０の基部に回動可能に設けられると共に、ホルダー基台１０の保持アーム１１の基部の先端部付近両内側に設けられる当接突起１２に当接して、水平状態を維持した状態で係止されるものである。
【００３９】
図２は、本発明に係るロールペーパーホルダーの使用状態を示す断面説明図である。
ホルダー基台１０の保持アーム１１に保持されたロールペーパーＰは、受台回動アーム４０のロールペーパーＰの幅を回避して後方に延設される回動アーム４４を通過し、受台４１上面の制止突起４３とペーパー送り装置３０のローラー部３３間を通過する際に、上方から押圧することによってロールペーパーＰの送りが制止され、さらにロールペーパーＰの切断時の横ズレ現象が防止される共に、上切刃３２と下切刃４２が押圧されて咬合することによって、ロールペーパーＰを上下何れの方向にも引き出して切断することができるものである。
【００４０】
またロールペーパーＰの切断時においては、ペーパー送り操作片３１の上方から押圧することによって、ロールペーパーＰが制止突起４３とローラー部３３とで強く押圧されて挟持されるため、ロールペーパーＰの回動ならびに送りが確実に制止されてロールペーパーＰの切断時の横ズレ現象が防止される共に、ロールペーパーＰが上切刃３２と下切刃４２によって押圧されて咬合することによって、ロールペーパーＰを上下何れの方向にも引き出して切断することができるものである。
【００４１】
さらにロールペーパーＰの切断を確実にするためには、ローラー部３３と制止突起４３の接触状態に対して、上切刃３２と下切刃４２の咬合状態を優先して強く狭持する寸法形状に構成することが好ましい。
【００４２】
図３は、本発明に係るロールペーパーホルダーのセット手順を示す説明図である。
《セット手順》
（1）ホルダー基台１０の基部に枢着している上蓋カバー２０と受台回動アーム４０を上方に回動させた後、ロールペーパーＰをホルダー基台１０の保持アーム１１に回動可能にセットする。
（2）受台回動アーム４０をホルダー基台１０の当接突起１２に当接させ、水平状態となった状態でロールペーパーＰを引き出して上蓋カバー２０を被せる。
【００４３】
以上のように本発明のロールペーパーホルダー１は、上蓋カバー２０と受台回動アーム４０を単に回動させる簡単な動作でロールペーパーＰのセットならびに交換作業が容易にできるものである。
【００４４】
図４は、本発明に係るロールペーパーホルダーの使用手順を示す説明図である。
《使用手順》
（1）ロールペーパーホルダー１が日常的に使用される待機状態を示す。
・図示されるようにロールペーパーＰがロールペーパーホルダー１内に収まって空気中を浮遊するゴミなどがロールペーパーＰ上に付着しない衛生的な状態で使用される。
（2）上蓋カバー２０の先端部に設けられているペーパー送り装置３０のペーパー送り操作片３１を上方に回動させる。
・ペーパー送り操作片３１を上方に回動させることによって上切刃３２と下切刃４２の噛み合いが開放され、さらにローラー部３３が略1/4回動することでロールペーパーＰの一側端が手前に送り出される。
（3）ペーパー送り操作片３１を元の位置に戻した後、上方から押圧した状態で咬合された上切刃３２と下切刃４２によってロールペーパーＰを上下何れの方向に引き出して切断する。
（4）そのままの状態で終了。
【００４５】
以上のように本発明のロールペーパーホルダー１は、上蓋カバー２０の先端部に設けられているペーパー送り操作片３１を上方に回動させるだけでロールペーパーＰの一側端が使用始めに際して一定量送り出されるもので、使用時に当っては常に衛生的な状態で使用することができるものである。
【産業上の利用可能性】
【００４６】
本発明のロールペーパーホルダーは、トイレットペーパーのホルダーとして利用されることが多いが、飲食産業や製造業の手拭き用のペーパーホルダーとしてや家庭用のキッチンペーパーや拭き取り用品やティッシュペーパーの代用品としても広く利用することができるもので、本発明のロールペーパーホルダーの産業上の利用可能性は大とするものと解する。
【符号の説明】
【００４７】
１  ロールペーパーホルダー
１０  ホルダー基台
１１  保持アーム
１２  当接突起
２０  上蓋カバー
３０  ペーパー送り装置
３１  ペーパー送り操作片
３２  上切刃
３３  ローラー部
４０  受台回動アーム
４１  受台
４２  下切刃
４３  制止突起
４４  回動アーム
Ａ    押圧機構
Ｂ    切断機構
Ｐ    ロールペーパー
【図１】
2011139931.tif 000003
【図２】
2011139931.tif 000004
【図３】
2011139931.tif 000005
【図４】
2011139931.tif 000006